(57)【要約】【課題】  取手とガードとを兼用した保護取手を設けることにより、取扱いが容易で故障し難い可搬式タンク装置を実現する。【解決手段】  タンク本体１２の取付座部１２Ａには、充填口１３、減圧弁１４，１７、吐出口１５，１８、圧力計１６，１９等からなる各種の搭載機器を搭載すると共に、保護取手２１を設ける。そして、保護取手２１は、タンク本体１２が左側または右側に転倒したときに搭載機器よりも先に地面に当接する形状とし、タンク本体１２を持ち運ぶ取手と、搭載機器を保護するガードとを共通化した部品として形成する。これにより、補助タンク１１を小型・軽量化しつつ、搭載機器を転倒時の衝突等から保護することができ、取扱いが容易で故障し難い補助タンク１１を実現することができる。【選択図】        図２
2006234148.tif 000002
【特許請求の範囲】
【請求項１】
圧力容器として形成され支持脚によって支持されることにより地面に配置されるタンク本体と、該タンク本体の上部に設けられた減圧弁及び吐出口を含んだ搭載機器とにより構成してなる可搬式タンク装置において、
前記タンク本体の上部には、前記タンク本体が転倒したときに前記搭載機器よりも先に前記地面に当接して該搭載機器を保護する保護取手を設ける構成としたことを特徴とする可搬式タンク装置。
【請求項２】
前，後方向に延びる円筒形状の圧力容器として形成され支持脚によって支持されることにより地面に配置されるタンク本体と、該タンク本体の上部に設けられた減圧弁及び吐出口を含んだ搭載機器とにより構成してなる可搬式タンク装置において、
前記タンク本体の上部には、前記タンク本体が左，右方向に転倒したときに前記搭載機器よりも先に前記地面に当接して該搭載機器を保護する保護取手を設ける構成としたことを特徴とする可搬式タンク装置。
【請求項３】
前記搭載機器は前記保護取手と前記タンク本体の外周面または前記支持脚とを結ぶ直線よりも内側に収まるように配置してなる請求項２に記載の可搬式タンク装置。
【請求項４】
前記搭載機器は前記保護取手の左，右方向の幅寸法内に収まるように配置してなる請求項２または３に記載の可搬式タンク装置。
【請求項５】
前記保護取手は、Ｕ字状またはＬ字状に屈曲して形成された２つの屈曲部と、これらの屈曲部の一側を互いに連結する連結部と、前記各屈曲部の他側を前記タンク本体の上部に固着する固着部とによって形成してなる請求項２，３または４に記載の可搬式タンク装置。
【請求項６】
前記保護取手の各屈曲部の間には前記タンク本体に圧縮気体を充填する充填口を設けてなる請求項５に記載の可搬式タンク装置。
【発明の詳細な説明】
【技術分野】
【０００１】
本発明は、例えば釘打ち機等の空圧機器を作動させるのに好適に用いられる可搬式タンク装置に関する。
【背景技術】
【０００２】
一般に、可搬式タンク装置は、工事現場等で持ち運びが容易な空圧源を構成するものであり、例えば釘打ち機等の空圧機器を作動させるのに広く用いられている（例えば、特許文献１参照）。
【０００３】
【特許文献１】特開２０００−２４９０７２号公報
【０００４】
この種の従来技術による可搬式タンク装置は、前，後方向に延びる円筒形状の圧力容器として形成されたタンク本体と、該タンク本体に接続され減圧弁及び吐出口を含んだ搭載機器とによって構成されている。この場合、タンク本体は、例えば工事現場の地面等に設置し易いように略箱形状のハウジング内に収容され、この状態で持ち運ばれる構成となっている。
【０００５】
また、他の従来技術として、タンク本体の下部に支持脚を設け、タンク本体の上部に搭載機器を設けることにより、ハウジングを用いることなく、タンク本体を地面に直接的に設置する構成とした可搬式タンク装置もある。
【０００６】
そして、圧縮空気の使用時には、まず可搬式タンク装置を所望の場所に設置し、その吐出口に空圧機器を接続する。そして、タンク本体内に充填された圧縮空気を減圧弁によって所定の圧力に減圧しつつ、吐出口から吐出させることにより、空圧機器を作動させる。このように、工事現場等では、比較的重量が大きな空気圧縮機を移動しなくても、これに代えて可搬式タンク装置を持ち運ぶことにより、空圧機器を所望の場所で使用することができる。
【発明の開示】
【発明が解決しようとする課題】
【０００７】
ところで、上述した従来技術では、例えばタンク本体を箱形状のハウジング内に収容する構成としている。しかし、この場合には、全体の寸法、重量等がハウジングの分だけ大きくなるため、これを持ち運ぶのが面倒な作業となり、可搬式タンク装置としての長所が十分に発揮されないという問題がある。
【０００８】
これに対し、他の従来技術として記載したように、タンク本体に支持脚を設けることにより、ハウジングを用いることなく、タンク本体を地面に直接的に設置する構成も考えられる。しかし、タンク本体は、高圧の圧縮空気を充填するために円筒形状の圧力容器として形成され、転がり易い形状となっている。
【０００９】
このため、タンク本体を地面に直接的に設置した場合には、支持脚を用いたとしても、作業者等が接触することによってタンク本体が側方に転倒することがあり、これによってタンク本体に設けられた搭載機器が地面に衝突すると、搭載機器の損傷や作動不良を招くという問題がある。
【００１０】
本発明は上述した従来技術の問題に鑑みなされたもので、本発明の目的は、全体を小型・軽量化しつつ、転倒時の損傷等から搭載機器を保護でき、取扱いが容易で高い耐久性をもつ可搬式タンク装置を提供することにある。
【課題を解決するための手段】
【００１１】
上述した課題を解決するために請求項１の発明は、圧力容器として形成され支持脚によって支持されることにより地面に配置されるタンク本体と、該タンク本体の上部に設けられた減圧弁及び吐出口を含んだ搭載機器とにより構成してなる可搬式タンク装置において、前記タンク本体の上部には、前記タンク本体が転倒したときに前記搭載機器よりも先に前記地面に当接して該搭載機器を保護する保護取手を設けてなる構成を採用している。
【００１２】
また、請求項２の発明では、前，後方向に延びる円筒形状の圧力容器として形成され支持脚によって支持されることにより地面に配置されるタンク本体と、該タンク本体の上部に設けられた減圧弁及び吐出口を含んだ搭載機器とにより構成してなる可搬式タンク装置において、前記タンク本体の上部には、前記タンク本体が左，右方向に転倒したときに前記搭載機器よりも先に前記地面に当接して該搭載機器を保護する保護取手を設ける構成としたことにある。
【００１３】
また、請求項３の発明によると、前記搭載機器は前記保護取手と前記タンク本体の外周面または前記支持脚とを結ぶ直線よりも内側に収まるように配置する構成としている。
【００１４】
また、請求項４の発明によると、前記搭載機器は前記保護取手の左，右方向の幅寸法内に収まるように配置する構成としている。
【００１５】
また、請求項５の発明によると、前記保護取手は、Ｕ字状またはＬ字状に屈曲して形成された２つの屈曲部と、これらの屈曲部の一側を互いに連結する連結部と、前記各屈曲部の他側を前記タンク本体の上部に固着する固着部とによって形成する構成としている。
【００１６】
さらに、請求項６の発明によると、前記保護取手の各屈曲部の間には前記タンク本体に圧縮気体を充填する充填口を設ける構成としている。
【発明の効果】
【００１７】
請求項１の発明によれば、タンク本体の保護取手を把持することにより、これを所望の場所に持ち運ぶことができる。また、搭載機器を用いることにより、例えば圧縮気体をタンク本体に充填したり、タンク本体内の圧縮気体を吐出させて使用することができる。
【００１８】
また、例えば外力等によってタンク本体が転倒した場合には、保護取手を搭載機器よりも先に地面に当接させることができ、これによって搭載機器が地面と衝突するのを防止することができる。このため、搭載機器を転倒時の損傷等から保護でき、耐久性を高めることができる。
【００１９】
しかも、タンク本体を持ち運ぶ取手と、搭載機器を保護するガードとを保護取手として共通化できるので、部品点数を減らして構造を簡略化でき、コストダウンを促進することができる。そして、従来技術のようにタンク本体をハウジング内に収容したり、例えば樹脂製のカバー等をタンク本体に被せることによって搭載機器を保護する必要がないので、全体の寸法や重量を小型化でき、取扱いが容易で故障し難い可搬式タンク装置を実現することができる。
【００２０】
また、請求項２の発明によれば、タンク本体は円筒形状の圧力容器として形成されているため、高圧の圧縮気体を安定的に充填することができる。この場合、円筒形状のタンク本体は、その長さ方向を前，後方向としたときに、左，右方向に転がり易い。しかし、例えば外力等によってタンク本体が左，右方向に転倒した場合には、保護取手を搭載機器よりも先に地面に当接させることができ、これによって搭載機器が地面と衝突するのを防止することができる。このため、搭載機器を転倒時の損傷等から保護でき、耐久性を高めることができる。
【００２１】
しかも、タンク本体を持ち運ぶ取手と、搭載機器を保護するガードとを保護取手として共通化できるので、従来技術のようにタンク本体をハウジング内に収容したり、例えば樹脂製のカバー等をタンク本体に被せることによって搭載機器を保護する必要がなくなり、請求項１とほぼ同様の作用効果を得ることができる。
【００２２】
また、請求項３の発明によれば、タンク本体の上部に搭載された各種の搭載機器を、保護取手とタンク本体の外周面とを結ぶ直線、または保護取手と支持脚とを結ぶ直線の内側に収めることができる。これにより、タンク本体が左，右方向に転倒した場合には、保護取手を搭載機器よりも先に地面に当接させることができるので、搭載機器を地面との衝突から保護することができる。
【００２３】
また、請求項４の発明によれば、搭載機器を保護取手の幅寸法の範囲内に収めることができる。即ち、保護取手を搭載機器よりも幅方向の外側に突出させることができるので、タンク本体が左，右方向に転倒した場合には、保護取手を搭載機器よりも先に地面に当接させることができる。
【００２４】
また、請求項５の発明によれば、例えば金属ロッド、パイプ等を屈曲させたり、複数の棒材等を接合することにより、保護取手の各屈曲部、連結部及び固着部を一体構造物として容易に形成でき、取手とガードとを兼用する小型で軽量な保護取手を実現することができる。そして、この保護取手をタンク本体の上部に取付ければよいので、新品のタンク装置を組立てる場合だけでなく、既に使用しているタンク等に対しても、保護取手の取付作業を容易に行うことができる。
【００２５】
さらに、請求項６の発明によれば、例えば保護取手の各屈曲部と連結部とによって充填口を取囲む枠体を形成することができる。これにより、タンク本体が転倒する場合だけでなく、例えば障害物等がタンク本体に対して側方や上方から衝突する場合でも、充填口を障害物との衝突から保護することができる。
【発明を実施するための最良の形態】
【００２６】
以下、本発明の実施の形態による可搬式タンク装置を、添付図面に従って詳細に説明する。
【００２７】
ここで、図１ないし図４は第１の実施の形態を示し、本実施の形態では、可搬式タンク装置として、圧縮空気を充填する補助タンクを例に挙げて説明する。
【００２８】
１はタンク一体型の空気圧縮機で、この空気圧縮機１は、圧縮空気を貯留する例えば２個のエアタンク２と、外部の空気を吸込んで圧縮し該各エアタンク２内に圧縮空気を吐出する圧縮部３と、該圧縮部３を駆動するモータ４とによって大略構成されている。
【００２９】
また、空気圧縮機１には、エアタンク２内の圧縮空気を低い圧力（一般圧）に減圧して吐出する低圧側の吐出口５と、エアタンク２内の圧縮空気を一般圧よりも高い圧力に減圧して吐出する高圧側の吐出口６とが設けられている。そして、空気圧縮機１の使用時は、後述の空圧機器９が使用圧力に応じて吐出口５，６の何れかに接続され、エアタンク２内の圧縮空気が空圧機器９に供給される。
【００３０】
さらに、空気圧縮機１には、エアタンク２内の圧縮空気を後述の補助タンク１１に向けて吐出する補助吐出口７が設けられている。この補助吐出口７には、充填ホース８を介して補助タンク１１が着脱可能に接続される。
【００３１】
一方、９は空気圧によって作動する空圧機器で、該空圧機器９は、例えば釘打ち機、グラインダ等によって構成されている。この場合、低圧作動型の空圧機器は、空気圧縮機１または補助タンク１１の吐出口５，１５に接続して使用され、高圧作動型の空圧機器は吐出口６，１８に接続して使用される。
【００３２】
１１は可搬式タンク装置としての補助タンクを示し、該補助タンク１１は、例えば空気圧縮機１に接続した状態で補助的なエアタンクとして使用されたり、空気圧縮機１から取外した状態で可搬式の空圧源として使用されるものである。そして、補助タンク１１は、後述のタンク本体１２、充填口１３、減圧弁１４，１７、吐出口１５，１８、圧力計１６，１９、保護取手２１によって大略構成されている。
【００３３】
１２は補助タンク１１の本体部分を構成するタンク本体で、該タンク本体１２は、図２ないし図４に示す如く、圧縮空気が充填される円筒形状の圧力容器として形成され、水平方向に延びた状態（横置き状態）で工事現場の地面等に配置されている。なお、以下の説明では、タンク本体１２の長さ方向に沿った方向を前，後方向とし、タンク本体１２の幅方向を左，右方向として述べるものとする。
【００３４】
また、横置き状態で配置されたタンク本体１２の上部には、例えば細長い金属板等からなる取付座部１２Ａがタンク本体１２の長さ方向に延設され、この取付座部１２Ａには、後述の如く各種の搭載機器が取付けられている。また、取付座部１２Ａの長さ方向中間部位には、保護取手２１を取付ける例えば２箇所の取付凹部１２Ｂが設けられている。
【００３５】
一方、タンク本体１２の下部には、タンク本体１２を長さ方向の両側で支持する例えば２個の支持脚１２Ｃが固着されている。これらの支持脚１２Ｃは、図４に示す如く、例えばコ字状の板材等によって形成され、タンク本体１２の中心に対して左，右両側に延びている。
【００３６】
この場合、支持脚１２Ｃの左，右方向の幅寸法は、タンク本体１２の直径寸法よりも小さく形成されている。そして、支持脚１２Ｃは、地面に当接してタンク本体１２を支持することにより、タンク本体１２が左側または右側に転倒するのを防止している。
【００３７】
次に、タンク本体１２の取付座部１２Ａに搭載された各種の搭載機器について説明する。
【００３８】
これらの搭載機器は、後述の充填口１３、減圧弁１４，１７、吐出口１５，１８、圧力計１６，１９及びドレンコック２０によって構成され、取付座部１２Ａから上向きに突出している。そして、各搭載機器は、図４に示す如く、後述の保護取手２１とタンク本体１２の外周面とを結ぶ２本の直線Ｌ1，Ｌ2の間（内側）に収まるように配置されると共に、保護取手２１の幅寸法Ｗ内に収まるように配置されている。
【００３９】
また、個々の搭載機器について説明すると、まず１３はタンク本体１２に接続された充填口を示している。この充填口１３は、充填ホース８が着脱可能に接続されるノズル状の継手として形成され、空気圧縮機１から吐出される圧縮空気をタンク本体１２内に充填するものである。
【００４０】
ここで、充填口１３は、タンク本体１２の幅方向に向けて斜めに突出し、これによって充填ホース８を充填口１３に接続し易い配置となっている。また、充填口１３は、例えば取付座部１２Ａの長さ方向中間部位に取付けられ、後述する保護取手２１の各Ｕ字状屈曲部２２，２３の間に配置されている。
【００４１】
１４は例えばタンク本体１２の取付座部１２Ａに設けられた低圧用減圧弁で、該低圧用減圧弁１４は、タンク本体１２内の圧縮空気が低圧側の吐出口１５から吐出されるときに、この圧縮空気を低い圧力（一般圧）に減圧するものである。
【００４２】
ここで、低圧用減圧弁１４は、図２に示す如く、例えば略箱形状の金属ケース等として形成され弁機構（図示せず）等が収容されたケーシング１４Ａと、該ケーシング１４Ａの上側に操作可能に設けられ、低圧用減圧弁１４によって減圧した後の圧力を可変に設定する設定用つまみ１４Ｂとを有している。
【００４３】
１５は低圧用減圧弁１４のケーシング１４Ａに取付けられた低圧側の吐出口で、該吐出口１５は、例えば段付円筒状の継手として形成され、低圧用減圧弁１４を介してタンク本体１２に接続されている。そして、補助タンク１１の使用時には、例えば低圧作動型の空圧機器９がホース等を介して吐出口１５に着脱可能に接続され、吐出口１５は、低圧用減圧弁１４によって減圧された圧縮空気を空圧機器９に向けて吐出、供給する。
【００４４】
１６は低圧用減圧弁１４のケーシング１４Ａに取付けられた圧力計で、該圧力計１６は、吐出口１５から吐出される圧縮空気の圧力を検出、表示するものであり、低圧用減圧弁１４からタンク本体１２の幅方向に突出している。
【００４５】
一方、１７はタンク本体１２の取付座部１２Ａに設けられた高圧用減圧弁で、該高圧用減圧弁１７は、タンク本体１２内の圧縮空気が高圧側の吐出口１８から吐出されるときに、この圧縮空気を一般圧よりも高い圧力に減圧する。
【００４６】
そして、高圧用減圧弁１７は、低圧用減圧弁１４とほぼ同様に、ケーシング１７Ａと設定用つまみ１７Ｂとを有し、ケーシング１７Ａには、高圧用減圧弁１７によって減圧された圧縮空気を高圧作動型の空圧機器９に向けて吐出する高圧側の吐出口１８と、その吐出圧を検出する圧力計１９とが設けられている。
【００４７】
この場合、低圧用減圧弁１４と高圧用減圧弁１７とは、図３に示す如く、それぞれの吐出口１５，１８に空圧機器を接続し易いように、タンク本体１２の長さ方向の両側に離間している。また、２０はタンク本体１２の取付座部１２Ａに設けられたドレンコックで、該ドレンコック２０は、圧縮空気中に含まれる凝結水を逃がすものである。
【００４８】
２１はタンク本体１２の取付座部１２Ａに設けられた保護取手を示し、該保護取手２１は、例えば金属ロッド、パイプ等からなる棒状の材料を屈曲させることにより一体形成され、補助タンク１１を持ち運ぶときに把持する取手と、搭載機器を保護するガードとを兼用した部品として形成されている。そして、保護取手２１は、後述のＵ字状屈曲部２２，２３、連結部２４、固着部２５によって大略構成されている。
【００４９】
ここで、図４において、例えばタンク本体１２が左側に転倒したときに、保護取手２１とタンク本体１２の外周面とがそれぞれ地面に接する部位を結んだ直線をＬ1とし、タンク本体１２が右側に転倒したときに、同じく保護取手２１とタンク本体１２の外周面とがそれぞれ地面に接する部位を結んだ直線をＬ2とすれば、保護取手２１は、これらの直線Ｌ1，Ｌ2の内側に全ての搭載機器が収まるように形成されている。この場合，保護取手２１の左，右方向の幅寸法Ｗは、全ての搭載機器が幅寸法Ｗ内に収まる大きさに形成されている。
【００５０】
これにより、例えばタンク本体１２が左側に転倒した場合には、保護取手２１の一部（後述するＵ字状屈曲部２２，２３の一側端部２２Ａ，２３Ａと連結部２４）が各搭載機器よりも先に地面に当接するので、例えば充填口１３等の搭載機器を地面との衝突から保護することができる。
【００５１】
また、タンク本体１２が右側に転倒した場合には、Ｕ字状屈曲部２２，２３の折返し部２２Ｂ，２３Ｂが各搭載機器よりも先に地面に当接するので、例えば圧力計１６，１９等の搭載機器を地面との衝突から保護することができる。
【００５２】
２２，２３は例えば横向きの略Ｕ字状（またはコ字状）等に屈曲して形成された２つのＵ字状屈曲部で、これらのＵ字状屈曲部２２，２３は、図２ないし図４に示す如く、タンク本体１２の長さ方向に離間して配置され、取付座部１２Ａから上向きに突出している。また、Ｕ字状屈曲部２２，２３は幅寸法Ｗをもって形成され、搭載機器に対して幅方向の両側に突出している。
【００５３】
ここで、各Ｕ字状屈曲部２２，２３のうち一方の屈曲部２２は、例えばタンク本体１２の幅方向に沿って延びる棒材を途中で折返すことより形成され、その一側端部２２Ａは、例えば各搭載機器のうち図４中で最も左側に位置する充填口１３と比べて、一定の突出寸法Ｔ1だけ左側に突出している。
【００５４】
また、Ｕ字状屈曲部２２の長さ方向中間部位は、例えば横向きの略Ｕ字状、コ字状等をなして折返された折返し部２２Ｂとなり、この折返し端２２Ｂは、例えば各搭載機器のうち最も右側に位置する圧力計１６，１９と比べて、一定の突出寸法Ｔ2だけ右側に突出している。
【００５５】
また、Ｕ字状屈曲部２２の他側端部２２Ｃには後述の固着部２５が設けられている。さらに、他方のＵ字状屈曲部２３は、前記Ｕ字状屈曲部２２とほぼ同様の屈曲形状をもって形成され、一側端部２３Ａ、折返し部２３Ｂ及び他側端部２３Ｃを有している。
【００５６】
そして、これらのＵ字状屈曲部２２，２３は、図３に示す如く、タンク本体１２の長さ方向に離間した低圧用減圧弁１４と高圧用減圧弁１７との間に配置されている。これにより、保護取手２１を減圧弁１４，１７の内側にコンパクトに配置でき、補助タンク１１の小型化を促進することができる。
【００５７】
しかも、Ｕ字状屈曲部２２，２３は充填口１３の両側に配置され、これらのＵ字状屈曲部２２，２３と連結部２４とは、充填口１３を取囲む略コ字状の枠体を構成している。このため、例えば障害物等が補助タンク１１に対して側方や上方から衝突する場合でも、充填口１３を衝突から保護することができる。
【００５８】
２４はＵ字状屈曲部２２，２３の一側端部２２Ａ，２３Ａを互いに連結する連結部で、該連結部２４は、補助タンク１１を持ち運ぶときに把持する部位であり、タンク本体１２から上方に離れた位置でその長さ方向に延びると共に、充填口１３よりも突出寸法Ｔ1だけ左側に突出した位置に配設されている。
【００５９】
２５はＵ字状屈曲部２２，２３の他側端部２２Ｃ，２３Ｃにそれぞれ一体形成された固着部で、これらの固着部２５は、図３に示す如く、例えば溶接部２６によってタンク本体１２の各取付凹部１２Ｂにそれぞれ溶接され、これによってＵ字状屈曲部２２，２３を取付座部１２Ａに固着している。
【００６０】
本実施の形態による補助タンク１１は上述の如き構成を有するもので、次に、その作動について説明する。
【００６１】
まず、補助タンク１１の使用時には、その充填口１３を充填ホース８によって空気圧縮機１の補助吐出口７に接続し、圧縮機を作動させる。これにより、圧縮機から吐出される圧縮空気を補助タンク１１に充填することができる。
【００６２】
また、例えば釘打ち機等の空圧機器９を圧縮機から離れた場所で使用するときには、補助タンク１１を充填ホース８から取外し、保護取手２１を把持することにより、これを空圧機器９と一緒に所望の場所まで持ち運ぶことができる。
【００６３】
そして、例えば低圧作動型の空圧機器９を使用する場合には、これを低圧側の吐出口１５に接続して減圧弁１４を操作する。また、高圧作動型の空圧機器９を使用する場合には、これを高圧側の吐出口１８に接続して減圧弁１７を操作する。これにより、空圧機器９を適切な圧力によって作動させることができ、各種の作業を行うことができる。
【００６４】
この場合、タンク本体１２は円筒形状の圧力容器として形成されているため、支持脚１２Ｃを取付けた状態でも、例えば作業者等が接触することによって左側または右側に転倒することがある。しかし、タンク本体１２が転倒したとしても、保護取手２１のＵ字状屈曲部２２，２３や連結部２４が搭載機器よりも先に地面に当接するので、例えば充填口１３、圧力計１６，１９等の搭載機器を地面との衝突から確実に保護することができる。
【００６５】
かくして、本実施の形態によれば、タンク本体１２の取付座部１２Ａに保護取手２１を設ける構成としたので、この保護取手２１を把持することにより、補助タンク１１を所望の場所へと容易に持ち運ぶことができる。
【００６６】
そして、移動先では、例えば補助タンク１１が左，右方向に転倒したとしても、充填口１３、減圧弁１４，１７、吐出口１５，１８、圧力計１６，１９等の搭載機器が地面と衝突するのを保護取手２１によって確実に防止できるので、これらの搭載機器を転倒時の損傷等から保護でき、耐久性を高めることができる。
【００６７】
この場合、タンク本体１２を持ち運ぶ取手と、搭載機器を保護するガードとを保護取手２１として共通化できるので、部品点数を減らして構造を簡略化でき、コストダウンを促進することができる。そして、従来技術のようにタンク本体をハウジング内に収容したり、例えば樹脂製のカバー等をタンク本体に被せることによって搭載機器を保護する必要がないので、全体の寸法や重量を小型化でき、取扱いが容易で故障し難い補助タンク１１を実現することができる。
【００６８】
この場合、搭載機器を、保護取手２１とタンク本体１２の外周面とを結ぶ直線Ｌ1，Ｌ2の内側に収まるように配置すると共に、保護取手２１の幅寸法Ｗ内に収まるように配置したので、例えばＵ字状屈曲部２２，２３の一側端部２２Ａ，２３Ａと折返し部２２Ｂ，２３Ｂ、連結部２４等を搭載機器よりも外側に突出させることができ、これらの部位にガードとしての機能をもたせることができる。
【００６９】
また、保護取手２１は、例えば金属ロッド、パイプ等を屈曲させることによって形成したので、そのＵ字状屈曲部２２，２３、連結部２４及び固着部２５を一体構造物として容易に加工、成形することができ、取手とガードとを兼用する小型で軽量な保護取手２１を実現することができる。そして、この保護取手２１をタンク本体１２の取付座部１２Ａに取付ければよいので、新品の補助タンク１１を組立てる場合だけでなく、既に使用している補助タンク１１等に対しても、保護取手２１の取付作業を容易に行うことができる。
【００７０】
そして、保護取手２１の取付部位をタンク本体１２の上部（取付座部１２Ａ）とすることにより、補助タンク１１の組立時には、保護取手２１を上側から取付座部１２Ａに押付けつつ、これを容易に溶接することができ、組立作業を効率よく行うことができる。
【００７１】
また、保護取手２１にＵ字状屈曲部２２，２３を設けたことにより、その一側端部２２Ａ，２３Ａには、タンク本体１２から離れた把持し易い位置に連結部２４を設けることができる。さらに、Ｕ字状屈曲部２２，２３の他側端部２２Ｃ，２３Ｃには、タンク本体１２側に固着される固着部２５をそれぞれ配設できるので、保護取手２１を長さ方向の２箇所でタンク本体１２に安定的に取付けることができ、取手及びガードとしての強度を高めることができる。
【００７２】
一方、充填口１３をＵ字状屈曲部２２，２３の間に配置したので、これらのＵ字状屈曲部２２，２３と連結部２４とによって充填口１３を取囲む枠体を形成することができる。これにより、補助タンク１１が転倒する場合だけでなく、例えば障害物等が補助タンク１１に対して側方や上方から衝突する場合でも、充填口１３を衝突から保護することができ、耐久性をより高めることができる。
【００７３】
次に、図５ないし図７は本発明による第２の実施の形態を示し、本実施の形態の特徴は、保護取手をタンク本体のほぼ全長にわたって延ばす構成としたことにある。なお、本実施の形態では、前記第１の実施の形態と同一の構成要素に同一の符号を付し、その説明を省略するものとする。
【００７４】
３１はタンク本体１２の取付座部１２Ａ′に固着された保護取手で、該保護取手３１は、第１の実施の形態とほぼ同様に、例えば棒状の金属材料を屈曲させることにより一体形成され、後述のＬ字状屈曲部３２，３３、連結部３４、固着部３５によって大略構成されている。
【００７５】
そして、保護取手３１は、図７に示す如く、保護取手３１とタンク本体１２の外周面とを結ぶ２本の直線Ｌ1′，Ｌ2′の内側に全ての搭載機器が収まるように形成されている。また、保護取手３１の左，右方向の幅寸法Ｗ′は、全ての搭載機器が幅寸法Ｗ′内に収まる大きさに形成されている。
【００７６】
しかし、保護取手３１は、図５、図６に示す如く、第１の実施の形態よりも長尺に形成され、取付座部１２Ａ′とほぼ等しい長さ寸法をもってタンク本体１２の長さ方向に延びている。
【００７７】
３２，３３は例えば略Ｌ字状（またはＪ字状）等に屈曲して形成された２つのＬ字状屈曲部で、これらのＬ字状屈曲部３２，３３は、タンク本体１２の長さ方向の両側に離間した低圧用減圧弁１４，高圧用減圧弁１７とほぼ等しい位置か、または減圧弁１４，１７よりも外側の位置に配設され、取付座部１２Ａ′から上向きに突出している。
【００７８】
そして、各Ｌ字状屈曲部３２，３３のうち一方の屈曲部３２は、図５、図６に示す如く、その一側（上部側）に位置して上，下方向に延在し低圧用減圧弁１４、吐出口１５及び圧力計１６の近傍に配置された縦棒部３２Ａと、該縦棒部３２Ａの他側（下部側）から略Ｌ字状に屈曲し、タンク本体１２の取付座部１２Ａ′に向けて水平方向に延びる横棒部３２Ｂとによって構成されている。
【００７９】
また、他方のＬ字状屈曲部３３は、前記Ｌ字状屈曲部３２とほぼ同様に、縦棒部３３Ａと横棒部３３Ｂとによって構成され、高圧用減圧弁１７、吐出口１８及び圧力計１９の近傍に配置されている。
【００８０】
そして、各Ｌ字状屈曲部３２，３３の縦棒部３２Ａ，３３Ａは、図７に示す如く、第１の実施の形態のＵ字状屈曲部２２，２３（折返し部２２Ｂ，２３Ｂ）とほぼ同様に、例えば圧力計１６，１９よりも一定の突出寸法Ｔ2′だけ右側に突出した位置に配設され、さらに圧力計１６，１９と対面している。
【００８１】
このように、Ｌ字状屈曲部３２，３３は、タンク本体１２の長さ方向に対して低圧用減圧弁１４，高圧用減圧弁１７の近傍または外側に立設され、また圧力計１６，１９を幅方向の外側から覆っている。このため、例えば障害物等が補助タンク１１に対して側方や上方から衝突する場合でも、減圧弁１４，１７、吐出口１５，１８、圧力計１６，１９等の機器を衝突から保護することができる。
【００８２】
３４はＬ字状屈曲部３２，３３の縦棒部３２Ａ，３３Ａを互いに連結する連結部で、該連結部３４は、第１の実施の形態とほぼ同様に、補助タンク１１を持ち運ぶときに把持する部位であり、タンク本体１２から上方に離れた位置でその長さ方向に延びている。
【００８３】
また、連結部３４は、図６、図７に示す如く、例えばクランク状に屈曲して形成され、その長さ方向中間部位には、充填口１３を取囲む位置で略コ字状に折曲げられた折曲げ部３４Ａが設けられている。そして、折曲げ部３４Ａは、第１の実施の形態のＵ字状屈曲部２２，２３（一側端部２２Ａ，２３Ａ）とほぼ同様に、例えば充填口１３よりも一定の突出寸法Ｔ1′だけ左側に突出している。
【００８４】
３５はＬ字状屈曲部３２，３３の横棒部３２Ｂ，３３Ｂにそれぞれ一体形成された固着部で、これらの固着部３５は、図５に示す如く、第１の実施の形態とほぼ同様に、例えば溶接部３６によってタンク本体１２の取付座部１２Ａ′の両端側にそれぞれ溶接されている。
【００８５】
かくして、このように構成される本実施の形態でも、前記第１の実施の形態とほぼ同様の作用効果を得ることができる。この場合、タンク本体１２が左側または右側に転倒したときには、Ｌ字状屈曲部３２，３３の縦棒部３２Ａ，３３Ａや連結部３４の折曲げ部３４Ａを搭載機器よりも先に地面に当接させることができ、これによって搭載機器を保護することができる。
【００８６】
そして、特に本実施の形態では、保護取手３１をタンク本体１２の取付座部１２Ａ′とほぼ等しい長さ寸法に形成し、Ｌ字状屈曲部３２，３３を減圧弁１４，１７の近傍または外側に配置する構成としている。
【００８７】
これにより、低圧側のＬ字状屈曲部３２を、減圧弁１４、吐出口１５及び圧力計１６の近傍に立設でき、その上部側から連結部３４を延ばすことができるので、例えば障害物等が側方や上方から衝突する場合でも、低圧側の搭載機器をＬ字状屈曲部３２と連結部３４とによって保護することができる。
【００８８】
また、高圧側のＬ字状屈曲部３３も同様に、減圧弁１７、吐出口１８及び圧力計１９の近傍に立設できるので、高圧側の等差機器も側方や上方からの衝突に対して保護でき、保護取手３１のガード機能をより高めることができる。
【００８９】
さらに、連結部３４には、充填口１３を取囲む略コ字状の折曲げ部３４Ａを設けたので、この折曲げ部３４Ａによって充填口１３を側方や上方からの衝突に対して保護することができる。
【００９０】
次に、図８及び図９は本発明による第３の実施の形態を示し、本実施の形態の特徴は、支持脚をタンク本体よりも幅広に形成する構成としたことにある。なお、本実施の形態では、前記第１の実施の形態と同一の構成要素に同一の符号を付し、その説明を省略するものとする。
【００９１】
４１は補助タンク１１′の本体部分を構成するタンク本体を示し、該タンク本体４１は、第１の実施の形態とほぼ同様に、円筒形状の圧力容器として形成され、取付座部４１Ａ、取付凹部４１Ｂ、支持脚４１Ｃ等を有している。しかし、支持脚４１Ｃは、図８、図９に示す如く、タンク本体４１の幅寸法（直径寸法）Ｗaよりも大きな幅寸法Ｗbをもって形成され（Ｗb＞Ｗa）、タンク本体４１から左，右両側に突出している。
【００９２】
そして、保護取手２１は、支持脚４１Ｃの幅方向の端部と保護取手２１とを結ぶ２本の直線Ｌ1″，Ｌ2″の間に全ての搭載機器が収まるように形成されている。この場合、直線Ｌ1″とは、図９において、例えばタンク本体４１が左側に転倒したときに、保護取手２１と支持脚４１Ｃの左端部とがそれぞれ地面に接する部位を結んだ直線として定義されている。また、直線Ｌ2″とは、タンク本体４１が右側に転倒したときに、保護取手２１と支持脚４１Ｃの右端部とがそれぞれ地面に接する部位を結んだ直線として定義されるものである。
【００９３】
かくして、このように構成される本実施の形態でも、前記第１の実施の形態とほぼ同様の作用効果を得ることができる。そして、特に本実施の形態では、支持脚４１Ｃの幅寸法Ｗbをタンク本体４１の幅寸法Ｗaよりも大きく形成したので、支持脚４１Ｃによってタンク本体４１をより安定的に支持でき、補助タンク１１′を転倒し難い構造とすることができる。
【００９４】
なお、前記各実施の形態では、円筒形状のタンク本体１２，４１を用いる構成とした。しかし、本発明のタンク本体は円筒形状に限らず、例えば球形状のタンク本体を用いる構成としてもよい。
【００９５】
また、実施の形態では、例えば金属ロッド、パイプ等を用いて保護取手２１，３１を一体形成するものとした。しかし、本発明はこれに限らず、例えば複数本の棒材等を接合することによって保護取手を形成し、これをタンク本体に溶接する構成としてもよい。
【００９６】
また、実施の形態では、タンク本体１２に搭載する搭載機器として、充填口１３、減圧弁１４，１７、吐出口１５，１８、圧力計１６，１９及びドレンコック２０を例に挙げて説明した。しかし、搭載機器の種類、個数等は、実施の形態に限定されるものではなく、これらの機器の一部だけを搭載したり、他の機器を搭載した可搬式タンク装置にも適用できるのは勿論である。
【００９７】
また、実施の形態では、可搬式タンク装置として、圧縮空気を充填する補助タンク１１を例に挙げて説明した。しかし、本発明はこれに限らず、空気以外の圧縮気体を充填する可搬式タンク装置に適用してもよい。また、補助タンクに限らず、各種の可搬式タンク装置に広く適用することができる。
【図面の簡単な説明】
【００９８】
【図１】本発明の第１の実施の形態による補助タンクを空気圧縮機と共に示す斜視図である。
【図２】図１中の補助タンクを示す斜視図である。
【図３】図２の補助タンクを上側からみた平面図である。
【図４】図２の補助タンクを左側からみた左側面図である。
【図５】本発明の第２の実施の形態による補助タンクを示す斜視図である。
【図６】図５の補助タンクを上側からみた平面図である。
【図７】図５の補助タンクを左側からみた左側面図である。
【図８】本発明の第３の実施の形態による補助タンクを示す平面図である。
【図９】図８の補助タンクを左側からみた左側面図である。
【符号の説明】
【００９９】
１  空気圧縮機
２  エアタンク
７  補助吐出口
９  空圧機器
１１，１１′  補助タンク（可搬式タンク装置）
１２，４１  タンク本体
１２Ａ，１２Ａ′，４１Ａ  取付座部
１２Ｂ，４１Ｂ  取付凹部
１２Ｃ，４１Ｃ  支持脚
１３  充填口（搭載機器）
１４，１７  減圧弁（搭載機器）
１５，１８  吐出口（搭載機器）
１６，１９  圧力計（搭載機器）
２１，３１  保護取手
２２，２３  Ｕ字状屈曲部（屈曲部）
２２Ａ，２３Ａ  一側端部
２２Ｂ，２３Ｂ  折返し部
２２Ｃ，２３Ｃ  他側端部
２４，３４  連結部
２５，３５  固着部
２６，３６  溶接部
３２，３３  Ｌ字状屈曲部（屈曲部）
３２Ａ，３３Ａ  縦棒部
３２Ｂ，３３Ｂ  横棒部
３４Ａ  折曲げ部
Ｌ1，Ｌ2，Ｌ1′，Ｌ2′，Ｌ1″，Ｌ2″  直線
Ｗ，Ｗ′  幅寸法
Ｔ1，Ｔ2，Ｔ1′，Ｔ2′  突出寸法
【図１】
2006234148.tif 000003
【図２】
2006234148.tif 000004
【図３】
2006234148.tif 000005
【図４】
2006234148.tif 000006
【図５】
2006234148.tif 000007
【図６】
2006234148.tif 000008
【図７】
2006234148.tif 000009
【図８】
2006234148.tif 000010
【図９】
2006234148.tif 000011